(57)【要約】      （修正有）【課題】特定携行物を肌身離さず、しかも体裁よく携行することを可能とした携帯用物入れを提供する。【解決手段】先端が開放され内部が空洞になっている空薬莢を用いて製作される携帯用物入れ１であって、内部に物入れ空間Ｓが形成される薬莢本体２０と、薬莢本体２０の基端部に取り付けられる口金具４と、口金具４に取り外し可能に装着される蓋体５と、蓋体５に取り付けられる装身用の付帯具とから成る。薬莢本体２０は、基端の側に円形の開口部３２が形成された端板部３０を有し先端の側は封止されている。口金具４は、端板部３０の開口部３２と連通する貫通孔４１を有しその貫通孔４１の内周に内ネジ部４２が形成されている。蓋体５は、外周に口金具４の内ネジ部４２と噛み合う外ネジ部５１、および口金具４の貫通孔４１を塞ぐ蓋板部５２を備え、蓋板部５２上に付帯具を取り付けるための取付部５３が設けられている。【選択図】図３
0003199132.tif 000002
【実用新案登録請求の範囲】
【請求項１】
先端が開放され内部が空洞になっている空薬莢を用いて製作される携帯用物入れであって、内部に物入れ空間が形成される薬莢本体と、前記薬莢本体の基端部に取り付けられる口金具と、前記口金具に取り外し可能に装着される蓋体と、前記蓋体に取り付けられる装身用の付帯具とから成り、
前記薬莢本体は、先端の側は封止され基端の側に円形の開口部が形成された端板部を有しており、前記口金具は、前記端板部の開口部と連通する貫通孔を有しその貫通孔の内周に内ネジ部が形成され、前記蓋体は、外周に前記口金具の内ネジ部と噛み合う外ネジ部、および前記口金具の貫通孔を塞ぐ蓋板部を備え、前記蓋板部上に前記付帯具を取り付けるための取付部が設けられて成る携帯用物入れ。
【請求項２】
前記蓋体の蓋板部と前記口金具との間はリング状のシール部材により水密状態にシールされている請求項１に記載の携帯小物入れ。
【請求項３】
前記薬莢本体は、合成樹脂製の筒状ケースと前記開口部が形成された端板部を有する金属製のキャップ体とからなり、前記筒状ケースの内側には筒状の内ケースが嵌挿され、前記キャップ体の内側には前記口金具が固定されており、前記内ケースの先端部が塞がれることにより前記内ケースの内側に前記物入れ空間が形成されている請求項１に記載の携帯用物入れ。
【請求項４】
前記薬莢本体は、前記開口部が形成された端板部を一体に有する金属製の筒状ケースよりなり、前記筒状ケースの基端部の内側には前記口金具が固定されており、前記筒状ケースの先端部が塞がれることにより前記筒状ケースの内側に前記物入れ空間が形成されている請求項１に記載の携帯用物入れ。
【請求項５】
先端が開放され内部が空洞になっている空薬莢を用いて製作される携帯用物入れであって、内部に物入れ空間が形成される薬莢本体と、前記薬莢本体の基端部に取り外し可能に装着される蓋体と、前記蓋体に取り付けられる装身用の付帯具とから成り、
前記薬莢本体は、先端の側は封止され基端の側に円形の開口部および開口部と連通する貫通孔が形成された端板部を有しその貫通孔の内周に内ネジ部が形成されており、前記蓋体は、外周に前記内ネジ部と噛み合う外ネジ部、および前記貫通孔を塞ぐ蓋板部を備え、前記蓋板部上に前記付帯具を取り付けるための取付部が設けられて成る携帯用物入れ。
【請求項６】
前記付帯具は、首に吊り下げるための紐状体である請求項１または５に記載の携帯用物入れ。
【考案の詳細な説明】
【技術分野】
【０００１】
この考案は、例えば、常備薬や不時に必要となる薬剤、暗証番号やパスワードなどの重要事項が記載されたメモなど、緊急時などに必要となる物や常に必要とする物などを携行するのに適した携帯用物入れに関し、この考案は特に、空薬莢を有効利用してファッション性を考慮して製作される携帯用物入れに関する。
【背景技術】
【０００２】
従来、出先において、緊急時などに必要となる物や常に必要とする物など（以下「特定携行物」という。）を携行する場合、鞄やポケットなどに入れて持ち歩くのが一般的である。しかし、鞄を持ち歩かないときや衣服を着替えたときなどには、外出時、特定携行物を携行するのを忘れることがあり、必要時や緊急時に役に立たないという問題がある。かかる問題を解消するには、例えば、特定携行物を入れた小さな容器やバッグを紐状体などにより首に懸けるなどして、特定携行物を肌身離さないようにするのが望ましい。しかし、そのような容器やバッグを首から吊り下げるのは、見栄えが悪く、不格好であるため、体裁を保つ工夫が必要となる。
【０００３】
ところで、クレー射撃や狩猟には、散弾銃などが用いられている。例えば、クレー射撃場では、毎日多量の装弾が消費され、多量の空薬莢が発生する。例えば、散弾銃の空薬莢は、合成樹脂製の筒状ケースとその筒状ケースの基端部（弾底部）に嵌着された金属製のキャップ体とを備えたものである。この空薬莢はそのままでは使い道がなく、しかも、筒状ケースとキャップ体とを分離しなければ、リサイクルすることができない（例えば、特許文献１の従来の技術欄参照）。
【先行技術文献】
【特許文献】
【０００４】
【特許文献１】特開２００４−２７１０１２号公報
【考案の概要】
【考案が解決しようとする課題】
【０００５】
筒状ケースとキャップ体とは強固に一体化されているため、これらを分離するのが容易でなく、従来は焼却処分を行ってキャップ体のみを回収しており、リサイクルに手数がかかって煩雑である。資源の活用をはかるために、空薬莢に付加価値をつけて廃物利用するのが望ましいが、これまで、空薬莢については、その種の廃物利用は全くなされておらず、特許文献１に記載されているように、リサイクルの観点からの検討が行われているだけである。
【０００６】
この考案は、上記の問題に着目してなされたもので、空薬莢をファッションのための要素として生かすとともに、空薬莢に特定携行物を入れる物入れとして機能を付加することにより、資源の活用をはかり、特定携行物を肌身離さず、しかも体裁よく携行することを可能とした携帯用物入れを提供することを目的とする。
【課題を解決するための手段】
【０００７】
この考案による携帯用物入れは、先端が開放され内部が空洞になっている空薬莢を用いて製作されるものであって、内部に物入れ空間が形成される薬莢本体と、前記薬莢本体の基端部に取り付けられる口金具と、前記口金具に取り外し可能に装着される蓋体と、前記蓋体に取り付けられる装身用の付帯具とから成る。前記薬莢本体は、先端の側は封止され基端の側に円形の開口部が形成された端板部を有している。前記口金具は、前記端板部の開口部と連通する貫通孔を有しその貫通孔の内周に内ネジ部が形成されている。前記蓋体は、外周に前記口金具の内ネジ部と噛み合う外ネジ部、および前記口金具の貫通孔を塞ぐ蓋板部を備え、前記蓋板部上に前記付帯具を取り付けるための取付部が設けられている。
【０００８】
上記した構成の携帯用物入れにおいて、蓋体を口金具より取り外し、口金具の貫通孔より内部の物入れ空間に特定携行物を入れた後、口金具の内ネジ部に対して蓋体の外ネジ部をねじ込む。これにより蓋体の蓋板部が口金具の貫通孔を塞ぎ、特定携行物は物入れ空間内に閉じ込められる。この携帯用物入れは空薬莢を用いて製作されているので、例えば、これをペンダントトップとして用い、このペンダントトップをチェーンなどの紐状体により首に吊り下げると、特定携行物を肌身離さず携行できるうえに、ファッション性が付与される。
【０００９】
この考案の上記した構成において、物入れ空間に雨水が浸入しないように、前記蓋体の蓋板部と前記口金具との間はリング状のシール部材により水密状態にシールされることが望ましい。この実施態様によると、物入れ空間に収納された物が雨水などに濡れて台無しになることがない。
【００１０】
この考案の好ましい一実施態様は、散弾銃の空薬莢を用いて製作されたもので、前記薬莢本体は、合成樹脂製の筒状ケースと前記開口部が形成された端板部を有する金属製のキャップ体とからなる。前記筒状ケースの内側には筒状の内ケースが嵌挿され、前記キャップ体の内側には前記口金具が固定されている。前記内ケースの先端部が塞がれることにより前記内ケースの内側に前記物入れ空間が形成されている。
【００１１】
また、この考案の好ましい他の実施態様は、ライフル銃の空薬莢を用いて製作されたもので、前記薬莢本体は、前記開口部が形成された端板部を一体に有する金属製の筒状ケースよりなる。前記筒状ケースの基端部の内側には前記口金具が固定されている。前記筒状ケースの先端部が塞がれることにより前記筒状ケースの内側に前記物入れ空間が形成されている。
【００１２】
この考案による他の携帯用物入れは、先端が開放され内部が空洞になっている空薬莢を用いて製作されるものであって、内部に物入れ空間が形成される薬莢本体と、前記薬莢本体の基端部に取り外し可能に装着される蓋体と、前記蓋体に取り付けられる装身用の付帯具とから成る。前記薬莢本体は、先端の側は封止され基端の側に円形の開口部および開口部と連通する貫通孔が形成された端板部を有しその貫通孔の内周に内ネジ部が形成されている。前記蓋体は、外周に前記内ネジ部と噛み合う外ネジ部、および前記貫通孔を塞ぐ蓋板部を備え、前記蓋板部上に前記付帯具を取り付けるための取付部が設けられている。
【００１３】
上記した構成の携帯用物入れにおいて、蓋体を薬莢本体の基端部より取り外し、貫通孔より内部の物入れ空間に特定携行物を入れた後、内ネジ部に対して蓋体の外ネジ部をねじ込む。これにより蓋体の蓋板部が薬莢本体の貫通孔を塞ぎ、特定携行物は物入れ空間内に閉じ込められる。この携帯用物入れは空薬莢を用いて製作されているので、例えば、これをペンダントトップとして用い、このペンダントトップをチェーンなどの紐状体により首に吊り下げると、特定携行物を肌身離さず携行できるうえに、ファッション性が付与される。
【００１４】
好ましい実施態様は、前記付帯具として、首に吊り下げるためのチェーンなどの紐状体を用いるものである。この実施態様によると、物入れ空間に特定携行物を入れて首に吊り下げることで、特定携行物を肌身離さず携行できるので、必要時や緊急時などに特定携行物を確実に役立てることができる。なお、付帯具は、必ずしもチェーンなどの紐状体である必要はなく、ベルトやバッグなどに装着するための種々の金具、キーホルダーを構成する種々の金具などであってもよい。
【考案の効果】
【００１５】
この考案によれば、空薬莢をファッションのための要素として生かすとともに、空薬莢に特定携行物を入れる物入れとしての機能を付加することで、資源の活用がはかられる。また、首に吊り下げるなどしてファッション性を考慮しつつ特定携行物を肌身離さず携行することができる。
【図面の簡単な説明】
【００１６】
【図１】この考案の一実施例である携帯用物入れの正面図である。
【図２】図１の実施例を分解して示した斜視図である。
【図３】図１の実施例の一部分を断面で示した正面図である。
【図４】この考案の他の実施例の一部分を断面で示した正面図である。
【図５】この考案の他の実施例の一部分を断面で示した正面図である。
【図６】この考案の他の実施例を分解しかつ一部分を断面で示した正面図である。
【図７】この考案の他の実施例を分解しかつ一部分を断面で示した正面図である。
【図８】この考案の他の実施例の一部分を断面で示した正面図である。
【図９】この考案の他の実施例の一部分を断面で示した薬莢本体の基端部および蓋体の正面図である。
【図１０】図１の実施例の製作に用いられる空薬莢の構造を示す断面図である。
【考案を実施するための形態】
【００１７】
図１は、この考案の第１の実施例である携帯用物入れ１の外観を示している。また、図２および図３は、図１の実施例の構造を示している。
図示例の携帯用物入れ１は、図１０に示した散弾銃の空薬莢１０を用いて製作されたものであり、ペンダントトップとしての物入れ本体１１と、物入れ本体１１を首から吊り下げるために物入れ本体１１に取り付けられた装身用の付帯具としてのチェーン１２とで構成されている。
【００１８】
図１０に示す空薬莢１０は、合成樹脂製の筒状ケース２と弾底部材としての金属製のキャップ体３とを備えたものである。なお、以下の説明では、キャップ体３の側（弾底の側）を基端側、反対側（弾頭の側）を先端側という。
筒状ケース２は先端が開放され、内部は空洞になっている。射撃前は、空洞部分に多数個の弾丸、ワッズ、火薬などが充填されている。射撃時に雷管１３が散弾銃の撃針によりたたかれると、火薬が爆発し、スタークリンプされていた先端部が開放されてワッズとともに散弾が飛び出す。射撃後は図示の空薬莢１０が残る。
【００１９】
前記キャップ体３は筒状ケース２の基端部の外周面に嵌着されている。筒状ケース２は基端面の部分に鍔状の大径部２１が形成されており、この大径部２１がキャップ体３の内部に周設された周溝３１に嵌まり込むことで、筒状ケース２とキャップ体３とが強固に一体化されている。この空薬莢１０より雷管１３とその周辺の充填物を除去した後、キャップ体３の端板部３０に、図中、一点鎖線で示すように、穿孔加工を施すことで、図２および図３に示される円形の開口部３２が形成される。
【００２０】
物入れ本体１１は、筒状ケース２とキャップ体３とで構成される薬莢本体２０と、薬莢本体２０の基端部に取り付けられる口金具４と、口金具４に取り外し可能に装着される蓋体５とを備えており、薬莢本体２０の内部に物入れ空間Ｓが形成されている。
【００２１】
キャップ体３の内側には、端板部３０の内面に突き当たった状態で口金具４が圧入により固定されている。口金具４は、端板部３０の開口部３２と連通しかつ開口部３２の直径と一致する内径の貫通孔４１を有している。貫通孔４１の内周面には内ネジ部４２が全長にわたり形成されている。
【００２２】
蓋体５は、外周面に口金具４の内ネジ部４２と噛み合う外ネジ部５１、および外ネジ部５１の基端側にキャップ体３の端板部３０の開口部３２や口金具４の貫通孔４１の径より大径の蓋板部５２を備えている。蓋板部５２上にはチェーン１２を通して取り付けるための取付孔５４を有する軸状の取付部５３が設けられている。蓋体５の蓋板部５２と口金具４との間はリング状のシール部材５５により水密状態にシールされ、これにより口金具４の貫通孔４１への雨水の浸入が阻止される。
【００２３】
筒状ケース２の内側には、口金具４の外周部に基端が突き当たった状態で円筒状をなす金属製の内ケース６が嵌挿されている。内ケース６の先端の開口部分は円盤状をなす金属製の蓋板６０で塞がれており、これにより、内ケース６内に物入れ空間Ｓが形成される。
【００２４】
筒状ケース２の先端はスタークリンプにより封止されている。筒状ケース２内の封止部２２と蓋板６０との間には、合成樹脂製の皿状体７が、内部に小球体の弾丸７０が多数個充填された状態で閉じ込められている。この実施例では、皿状体７は廃物としてのワーズを切断などの加工を施して形成されているが、樹脂成形により形成してもよい。
【００２５】
図４は、この考案の第２の実施例の構造を示している。この実施例の携帯用物入れ１は、上記した第１の実施例における皿状体７および多数個の弾丸７０が封入されていない実施例であり、第１の実施例と比較して軽量であり、内ケース６内の物入れ空間Ｓの容量が大きくなっている。筒状ケース２の先端の開放端縁を内側へ折り返して蓋板６０の抜止め２３を形成することにより封止部２２が形成されている。その他の構成は、第１の実施例と同様であり、ここでは対応する構成に同じ符号を付することで説明を省略する。
【００２６】
図５は、この考案の第３の実施例の構造を示している。この実施例の携帯用物入れ１では、上記した第１の実施例における皿状体７の開口部を円盤状をなす透明の蓋板７１で塞ぐとともに、筒状ケース２の先端の開放端縁を内側へ折り返して蓋板７１の抜止め２３を形成することにより封止部２２が形成されている。蓋板７１の中央部には円形孔７２が形成されている。この実施例では、皿状体７の内部に第１の実施例での弾丸７０より大きい球体の弾丸７０が３個充填されて閉じ込められている。その他の構成は、第１の実施例と同様であり、ここでは対応する構成に同じ符号を付することで説明を省略する。
【００２７】
図６は、この考案の第４の実施例の構造を示している。この実施例の携帯用物入れ１は、筒状の内ケース６内の物入れ空間Ｓの容量をさらに大きくしたものである。この実施例の内ケース６は、全長が筒状ケース２より長く、先端の側は端板部６１で塞がれ、基端の側には筒状ケース２の開口部より突出する口部６２を備えている。この口部６２の外径は筒状ケース２の外径と一致し、長さはキャップ体３の長さに一致する。キャップ体３はこの口部６２の外周に嵌め込まれている。
【００２８】
内ケース６の基端はキャップ体３の端板部３０の内面に突き当たっており、先端の端板部６１は筒状ケース２の先端の開放端よりわずかに内側に位置している。筒状ケース２の先端の開放端縁は全周にわたって内側へ折り返されて、封止部２２を構成する抜止め２３が形成されている。
キャップ体３の端板部３０には内ケース６の口部６２の内径に一致する径の開口部３２が形成されている。内ケース６の口部６２には内周面に内ネジ部６３が形成されて口金具４が取り付けられ、この口金具４に蓋体５が取り外し可能に装着されている。
【００２９】
口金具４は、キャップ体３の端板部３０の開口部３２および内ケース６の口部６２内と連通する貫通孔４１を有しており、その貫通孔４１の内周面に内ネジ部４２が形成されている。口金具４の外周面には内ケース６の口部６２の内ネジ部６３と噛み合う外ネジ部４３と、キャップ体３の開口部３０より大径のフランジ部４４とが形成されている。口金具４と内ケース６の口部６２との間は、フランジ部４４と外ネジ部４３との間の周溝４６に嵌められたリング状のシール部材４５により水密状態にシールされている。
なお、蓋体５の構成は、上記の各実施例と同様であり、ここでは対応する構成に同じ符号を付することで説明を省略する。
【００３０】
図７は、この考案の第５の実施例の構造を示すもので、口金具４がキャップ体３の内側に圧入して固定されている。内ケース６の口部６２には、一体構造の口金具４およびキャップ体３が取り外し可能に装着され、口金具４に蓋体５が取り外し可能に装着されている。この実施例の構成によると、口金具４およびキャップ体３を取り外すことで、内ケース６の基端部が大きく開口するので、内ケース６内の物入れ空間Ｓに対して大きなものを出し入れできる。なお、その他の構成は図６の実施例と同様であり、説明を省略する。
【００３１】
図８は、ライフル銃の空薬莢を用いて製作された第６の実施例の携帯用物入れ１であり、ペンダントトップとしての物入れ本体１１と、物入れ本体１１を首から吊り下げるために物入れ本体１１に取り付けられる付帯具としてのチェーン（図示せず）とで構成されている。
物入れ本体１１は、基端部に厚肉状のキャップ部３ａを一体に備えた金属製の筒状ケース２により構成される薬莢本体２０と、キャップ部３ａに取り付けられる口金具４と、口金具４に取り外し可能に装着される蓋体５とを備えており、薬莢本体２０の内部に物入れ空間Ｓが形成されている。
【００３２】
前記キャップ部３ａは、円形の開口部３２を有する端板部３０を一体に備え、このキャップ部３ａの内側に口金具４が圧入により固定されている。口金具４は、端板部３０の開口部３２と連通しかつ開口部３２の径と一致する内径の貫通孔４１を有する。この貫通孔４１の内周面には蓋体５の外ネジ部５１と噛み合う内ネジ部４２が全長にわたって形成されている。
【００３３】
筒状ケース２の先端側は径が絞られており、その絞り部２ａ内に金属製の仕切板２４が嵌め込まれることにより、筒状ケース２内に物入れ空間Ｓが形成されている。絞り部２ａ内の仕切板２４上には先細形状の金属製の弾丸７０が嵌め込まれて封止部２２が構成されている。
なお、蓋体５の構成は、上記の各実施例と同様であり、ここでは対応する構成に同じ符号を付することで説明を省略する。
【００３４】
図９は、ライフル銃の空薬莢を用いて製作された第７の実施例の基端部の構造を示している。この実施例は、上記の各実施例における口金具４をなくしたもので、薬莢本体２０を構成する筒状ケース２の基端部の端板部３０に蓋体５が取り外し可能に装着されたものである。
筒状ケース２は、先端の側は封止され基端に円形の開口部３２および開口部３２と連通する貫通孔３３が形成された厚肉状の端板部３０を有するもので、貫通孔３３の内周に内ネジ部３４が形成されている。蓋体５は、外周に内ネジ部３４と噛み合う外ネジ部５１、および貫通孔３３を塞ぐ蓋板部５２を備えており、図８の実施例と同様の構成のものである。
なお、上記の実施例は散弾銃やライフル銃の空薬莢を用いて製作されたものであるが、その他の銃の空薬莢を用いることもできる。
【００３５】
上記した第１〜第６の実施例の携帯用物入れ１において、蓋体５を口金具４より取り外し、口金具４の貫通孔４１より内部の物入れ空間Ｓに特定携行物を入れた後、口金具４の内ネジ部４２に対して蓋体５の外ネジ部５１をねじ込む。これにより蓋体５の蓋板部５２が口金具４の貫通孔４１を塞ぎ、特定携行物は物入れ空間Ｓ内に閉じ込められる。また、蓋体５の蓋板部５２と口金具４との間はリング状のシール部材５５により水密状態にシールされるので、物入れ空間Ｓに収納された物が雨水などに濡れて台無しになることがない。この携帯用物入れ１は空薬莢を用いて製作されているので、例えば、これをペンダントトップとして用い、このペンダントトップをチェーン１２により首に吊り下げると、特定携行物を肌身離さず携行でき、必要時や緊急時などに特定携行物を確実に役立てることができるうえに、ファッション性が付与される。
なお、第７の実施例では、口金具４が用いられていないので、蓋体５の外ネジ部５１が薬莢本体２０の基端部の内ネジ部３３に対して着脱される。
【符号の説明】
【００３６】
１    携帯用物入れ
２    筒状ケース
３    キャップ体
４    口金具
５    蓋体
６    内ケース
１０  空薬莢
１２  チェーン
２０  薬莢本体
２３  封止部
３０  端板部
３２  開口部
３３，４１  貫通孔
３４，４２  内ネジ部
５１  外ネジ部
５２  蓋体部
５３  取付部
５５  シール部材
７０  弾丸
Ｓ    物入れ空間
【図１】
0003199132.tif 000003
【図２】
0003199132.tif 000004
【図３】
0003199132.tif 000005
【図４】
0003199132.tif 000006
【図５】
0003199132.tif 000007
【図６】
0003199132.tif 000008
【図７】
0003199132.tif 000009
【図８】
0003199132.tif 000010
【図９】
0003199132.tif 000011
【図１０】
0003199132.tif 000012